(57)【要約】【課題】  原稿などが第１スライダー５とコイルスプリング７との間に挟まったりしないヒンジ機構を提供することである。【解決手段】  第１，２スライダー５，６の対向面を構成する部材であって、第１スライダー５にはカバー部１０を設け、第２スライダー６に、カバー部１０が進入する進入穴１１を形成している。そして、上記カバー部１０の先端が進入穴１１内に通常の使用範囲において常時位置し、しかも上記第１，２スライダー５，６が相対移動する過程でカバー部１０の先端が進入穴１１内で相対移動する。【選択図】  図１
2012256029.tif 000002
【特許請求の範囲】
【請求項１】
読み取り対象物を押さえる押さえ板側に固定するケースと、
このケースの両側に設けた両側片間に摺動可能に設けたスライダーと、
このスライダーとそのスライダーに対向する部材との間に介在させたコイルスプリングとを備える一方、
ケースに回動自在に支持されるとともに読み取り装置側に固定される支持部材を設け、
スライダーとこのスライダーに対向する上記対向面を構成する部材との双方あるいはいずれか一方に、上記コイルスプリングを覆うカバー部を設け、
支持部材に対してケースが閉じる方向に回動したとき、その回動力を上記スライダーに伝達して、当該スライダーを上記コイルスプリングのばね力に抗して摺動させるヒンジ機構であって、
上記カバー部先端に対向する部材に、このカバー部が進入する進入空間を形成するとともに、
上記カバー部は、このカバー部先端と対向する側における上記部材を構成する要素部材と相まって、コイルスプリングの所定の周面すなわち上記押さえ板を読み取り装置に対して閉じたときに読み取り装置と対向する周面を、少なくとも通常の使用範囲において常時覆う一方、上記スライダーの移動過程で上記カバー部が上記進入空間内を相対移動する構成にしたヒンジ機構。
【請求項２】
上記要素部材が、スライダーに設けたカバー部とは別のカバー部からなり、これら両カバー部先端と対向するスライダー及び上記部材のそれぞれに進入空間を形成し、両カバー部が相対移動する過程で、これらカバー部が上記進入空間に進入する構成にした請求項１に記載のヒンジ機構。
【請求項３】
上記要素部材が上記進入空間からなり、スライダーに設けた上記カバー部の少なくとも一部が、少なくとも通常の使用範囲において上記進入空間に常時位置し、上記スライダーの移動過程で上記カバー部の先端が進入空間内で相対移動する構成にした請求項１に記載のヒンジ機構。
【請求項４】
上記要素部材が、上記スライダーに設けた上記カバー部とは別のカバー部であって、これら両カバー部が、少なくとも通常の使用範囲において常時重なり合うとともに、上記スライダーの移動過程で上記一方のカバー部が、この一方のカバー部先端に対向する部材に形成した進入空間内を相対移動する構成にした請求項１に記載のヒンジ機構。
【請求項５】
上記カバー部は、上記押さえ板を読み取り装置に対して閉じたときに読み取り装置と対向するコイルスプリング周面のすべてを覆う幅を有する請求項１〜４のいずれか１に記載のヒンジ機構。
【請求項６】
読み取り対象物を押さえる押さえ板側に固定するケースと、
このケースの両側に設けた両側片間に摺動可能に設けたスライダーと、
このスライダーとそのスライダーに対向する部材との間に介在させたコイルスプリングとを備える一方、
ケースに回動自在に支持されるとともに読み取り装置側に固定する支持部材を設け、
スライダーとこのスライダーに対向する上記部材との双方あるいはいずれか一方に、上記コイルスプリングを覆うカバー部を設け、
支持部材に対してケースが閉じる方向に回動したとき、その回動力を上記スライダーに伝達して、当該スライダーを上記コイルスプリングのばね力に抗して摺動させるヒンジ機構であって、
上記カバー部は、このカバー部先端と対向する側における上記部材と相まって、コイルスプリングの所定の周面すなわち上記押さえ板を読み取り装置に対して閉じたときに読み取り装置と対向する周面を、少なくとも通常の使用範囲で常時覆う一方、
上記カバー部の端面形状を曲げ線形状にした
ヒンジ機構。
【請求項７】
上記カバー部の断面形状を曲げ線形状にするとともに、このカバー部先端と対向する側における上記部材の上記要素部材の断面形状を上記カバー部の曲げ線形状と対応する形状にし、カバー部と上記要素部材とが相まって上記スプリングの所定面を覆う構成にした請求項１〜６のいずれかに記載のヒンジ機構。
【発明の詳細な説明】
【技術分野】
【０００１】
この発明は、例えばコピー機などの読み取り装置と押さえ板とを連結するヒンジ機構に関する。
【背景技術】
【０００２】
この種のものとして、特開２００７−２１２９１０号公報に記載されたヒンジ機構が従来から知られている。
この従来のヒンジ機構は、読み取り装置側に固定する支持部材と、原稿を押さえる押さえ板に固定するケースとを回動自在に連結し、ケースには一対のスライダーを設けるとともに、これらスライダー間にコイルスプリングを設けている。
【０００３】
そして、押さえ板とともにケースを支持部材に対してそれらを閉じる方向に回動すると、支持部材に設けた作動体がスライダーを押してコイルスプリングを撓ませる。このときのばね力が、押さえ板の開閉力に対してアシスト力になったり、あるいは減衰力になったりする。
さらに、上記両スライダー間に露出するコイルスプリングを覆うために、一方のスライダーにカバー部を設けているが、このカバー部は、その先端が他方のスライダーに重なり合う構成にしている。
【先行技術文献】
【特許文献】
【０００４】
【特許文献１】特開２００７−２１２９１０号公報
【発明の概要】
【発明が解決しようとする課題】
【０００５】
上記のようにした従来のヒンジ機構では、一方のスライダーに設けたカバー部が、他方のスライダーに重なり合う構成にしているが、その重なり部分にはすき間が形成される。このように他方のスライダーとカバー部との間にすき間ができると、そのすき間に原稿などが挟まることがあった。原稿などが挟まったときに、その引っ張り方向を間違えると、原稿が千切れたりするという問題があった。
【０００６】
また、上記従来のヒンジ機構では、一方のスライダーに設けたカバーが、他方のスライダーに重なるようにしているが、両スライダーの相対移動にともなう移動ストロークの関係から、その重なり部分がきわめて少なくならざるをえない。そのために、その重なり部分を通してカバーの内部に原稿等が入り込み易くなり、もし、そこに原稿等が入り込んでしまうと、コイルスプリングやケース内部に付着したグリスが、入り込んだ原稿に付着してしまう問題があった。
この発明の目的は、原稿などが入り込んだりしないヒンジ機構を提供することである。
【課題を解決するための手段】
【０００７】
この発明は、次の構成を備えたヒンジ機構に関する。すなわち、読み取り対象物を押さえる押さえ板側に固定するケースと、このケースの両側に設けた両側片間に摺動可能に設けたスライダーと、このスライダーとそのスライダーに対向する部材との間に介在させたコイルスプリングとを備えている。そして、ケースに回動自在に支持されるとともに読み取り装置側に固定される支持部材を設け、スライダーとこのスライダーに対向する上記対向面を構成する部材との双方あるいはいずれか一方に、上記コイルスプリングを覆うカバー部を設け、支持部材に対してケースが閉じる方向に回動したとき、その回動力を上記スライダーに伝達して、当該スライダーを上記コイルスプリングのばね力に抗して摺動させる構成にしている。
【０００８】
第１の発明は、上記カバー部先端に対向する部材に、このカバー部が進入する進入空間を形成するとともに、上記カバー部は、このカバー部先端と対向する側における上記部材を構成する要素部材と相まって、コイルスプリングの所定の周面すなわち上記押さえ板を読み取り装置に対して閉じたときに読み取り装置と対向する周面を、少なくとも通常の使用範囲において常時覆う一方、上記スライダーの移動過程で上記カバー部が上記進入空間内を相対移動する構成にした点に特徴を有する。
【０００９】
なお、カバー部先端と対向する側における上記部材を構成する要素部材には、カバー部と相互に機能しあってコイルスプリングの周面を覆う機能を発揮するものであれば、どのような形態も含まれる。例えば、カバー部と重なり合う突片や、カバー部先端が入る穴も含まれる。そして、上記要素部材が穴であるとき、この穴が上記進入空間と一体化するかもしくは進入空間と連続することになる。
【００１０】
また、押さえ板を読み取り装置に対して閉じたときに読み取り装置と対向する周面とは、押さえ板が閉じたときに読み取り装置と対向する位置関係にある周面を意味するもので、押さえ板が閉じたときにのみ読み取り装置と対向するという意味ではない。そして、以下の発明においても、押さえ板を読み取り装置に対して閉じたときに読み取り装置と対向する周面の概念は上記と同様である。
さらに、この発明における通常の使用範囲とは、例えば、修理のために読み取り装置に対して押さえ板を大きく開いた範囲を除いた範囲をいう。つまり、当該読取装置や押さえ板の修理時には、修理をする者が押さえ板の下に頭などを入れて修理作業をするが、上記通常の使用範囲とは、修理作業時など押さえ板を大きく開いた範囲を除いた範囲をいう。
【００１１】
第２の発明は、上記要素部材が、スライダーに設けたカバー部とは別のカバー部からなり、これら両カバー部先端と対向するスライダー及び上記部材のそれぞれに進入空間を形成し、両カバー部が相対移動する過程で、これらカバー部が上記進入空間に進入する構成にした点に特徴を有する。
【００１２】
第３の発明は、上記要素部材が上記進入空間からなり、スライダーに設けた上記カバー部の少なくとも一部が、少なくとも上記通常の使用範囲において上記進入空間に常時位置し、上記スライダーの移動過程で上記カバー部の先端が進入空間内で相対移動する構成にした点に特徴を有する。
【００１３】
第４の発明は、上記要素部材が、上記スライダーに設けた上記カバー部とは別のカバー部であって、これら両カバー部が、少なくとも上記通常の使用範囲おいて常時重なり合うとともに、上記スライダーの移動過程で上記一方のカバー部が、この一方のカバー部先端に対向する部材に形成した進入空間内を相対移動する構成にした点に特徴を有する。
第５の発明は、上記カバー部が、上記押さえ板を読み取り装置に対して閉じたときに読み取り装置と対向するコイルスプリング周面のすべてを覆う幅を有する点に特徴を有する。
【００１４】
第６の発明は、上記カバー部が、このカバー部先端と対向する側における上記部材と相まって、コイルスプリングの所定の周面すなわち上記押さえ板を読み取り装置に対して閉じたときに読み取り装置と対向する周面を、少なくとも上記通常の使用範囲おいて常時覆う一方、上記カバー部の端面形状を曲げ線形状にした点に特徴を有する。
なお、上記第６の発明では、進入空間が必須要素にはならない。例えば、カバー部先端と対向する側における上記部材に対してカバー部がその外側に位置するものも含まれる。
【００１５】
第７の発明は、上記カバー部の端面形状を曲げ線形状にするとともに、このカバー部先端と対向する側における上記部材の上記要素部材の断面形状を上記カバー部の曲げ線形状と対応する形状にし、カバー部と上記要素部材とが相まって上記スプリングの所定面を覆う構成にした点に特徴を有する。
【発明の効果】
【００１６】
第１の発明によれば、スライダーの移動過程でカバー部と要素部材とによって、コイルスプリングが、少なくとも上記通常の使用範囲において常時覆われているので、読み取り装置側に置く原稿などがコイルスプリングに挟み込まれたりしない。したがって、上記原稿などが損傷したり、コイルスプリングやケースの内部に付着したグリスで原稿等が汚れたりしない。
【００１７】
第２の発明によれば、一対のカバー部でコイルスプリングを覆いながら、両カバー部が相対移動する過程で、これらカバー部が上記進入空間に進入する構成にしているので、原稿等が挟み込まれたりしないことはもちろん、スライダーのストロークを十分に確保することができる。
【００１８】
第３の発明によれば、カバー部の少なくとも一部が、少なくとも上記通常の使用範囲において上記進入空間の底部に常時重なり合うので、原稿等が挟み込まれたりしない。
第４の発明によれば、一対のカバー部が、少なくとも上記通常の使用範囲において常時重なり合っているので、原稿などが挟み込まれたりしない。
第５の発明によれば、カバー部がコイルスプリングの所定面を覆う構成にしたので、コイルスプリングが露出しない。もし、コイルスプリングが露出していると、その露出部分の機械的なイメージが強くなり、全体としてのデザイン性を損なうが、上記のようにコイルスプリングがカバー部で覆われるので、デザイン性を損なうことはない。
【００１９】
第６の発明によれば、上記カバー部の端面形状を曲げ線形状にしたので、原稿などの端面が上記曲げ線形状に一致しない限り、それがカバー部と要素部材との間に入り込まないので、原稿などの挟み込みをさらに効果的に防止できる。
しかも、第７の発明によれば、上記要素部材の形状を上記カバー部の曲げ線形状と対応する形状としたので、カバー部の移動過程で上記要素部材が障害になったりしない。
【図面の簡単な説明】
【００２０】
【図１】支持部材に対してケースを約６０度の角度に保った第１実施形態の断面図である。
【図２】支持部材に対してケースを約６０度の角度に保った第１実施形態の正面図である。
【図３】第１スライダーをカム面側から見た斜視図である。
【図４】第１スライダーをカバー部側から見た斜視図である。
【図５】支持部材に対してケースを約６０度の角度に保った第２実施形態の断面図である。
【図６】支持部材に対してケースを約６０度の角度に保った第２実施形態の正面図である。
【図７】支持部材に対してケースを約６０度の角度に保った第３実施形態の断面図である。
【図８】支持部材に対してケースを約６０度の角度に保った第３実施形態の正面図である。
【図９】支持部材に対してケースを約６０度の角度に保った第４実施形態の断面図である。
【図１０】第４実施形態の第２スライダーの斜視図である。
【図１１】支持部材に対してケースを約６０度の角度に保った第５実施形態の断面図である。
【図１２】第５実施形態の第１スライダーの斜視図である。
【図１３】支持部材に対してケースを約６０度の角度に保った第６実施形態の断面図である。
【図１４】第６実施形態の第２スライダーの斜視図である。
【発明を実施するための形態】
【００２１】
図１〜４に示した第１実施形態はコピー機に用いるヒンジ機構で、このヒンジ機構は、コピー機の読み取り装置Ｘ側に固定する支持部材ａと、第１支持軸１を介して上記支持部材ａに回動自在に支持されたケースｂと、第２支持軸２を介して上記ケースｂと回動自在に支持されたリフト部材ｃとからなる。
【００２２】
上記支持部材ａは、上記コピー機の読み取り装置Ｘ側に固定する平板部ａ１の両側に両側起立片ａ２，ａ２を設けている。そして、これら両側起立片ａ２，ａ２間に上記第１支持軸１をかけ渡すとともに、両側起立片ａ２，ａ２のそれぞれには、一対のローラからなる第１作動体３を設けている。
【００２３】
さらに、第１支持軸１にはケースｂが回動自在に支持されるが、このケースｂはその上板ｂ１の両側に両側片ｂ２、ｂ２を形成するとともに、第１支持軸１はこれら両側片ｂ２，ｂ２を貫通している。
【００２４】
また、上記両側片ｂ２，ｂ２であって、第１支持軸１で支持された側とは反対側に第２支持軸２を掛け渡し、この第２支持軸２の両端を両側片ｂ２，ｂ２から突出させるとともに、その突出端にリフト部材ｃを回動自在に連結している。このリフト部材ｃには第２作動体４を一体的に設けている。
なお、上記リフト部材ｃは、例えば、厚い本などをコピーするとき、ケースｂとは反対方向に回動させ、その厚い本に対してほぼ平行になって、それを押さえつけるためのものである。
【００２５】
一方、ケースｂの両側片ｂ２，ｂ２の対向面間には、第１，２スライダー５，６を摺動自在に組み込んでいるが、これら第１，２スライダー５，６間には、圧縮時にばね力を発揮するコイルスプリング７を介在させている。つまり、これら第１，２スライダー５，６のそれぞれに、それらの対向面に凹部５ｂ，６ｂを形成し、これら凹部５ｂ，６ｂに、上記コイルスプリング７の端部を組み込み、上記凹部５ｂ，６ｂをスプリングガイドとして機能させている。
そして、図１に示す状態において、コイルスプリング７のばね力の作用で、第１スライダー５は第１支持軸１に圧接し、第２スライダー６は第２作動体４に圧接して、これら第１，２スライダー５，６は、第１支持軸１と第２作動体４との間に組み込まれている。
【００２６】
上記第１スライダー５には、図１及び３に示すように凸部からなる挟み込み防止部材８を一体的に形成しているが、この挟み込み防止部材８の両側において当該挟み込み防止部材８と直角にしたカム面９，９を形成している。
さらに、図３，４に示すように、第１スライダー５であって、上記挟み込み防止部材８を設けた側に、その挟み込み防止部材８及び第１作動体３を覆う覆い部５ａを一体的に設けている。
【００２７】
そして、上記第１作動体３は、ケースｂが支持部材ａに対して回動する過程で、第１支持軸１を中心に円弧運動をするとともに、０度〜約６０度の回動範囲で上記カム面９，９を押して、コイルスプリング７を撓ませながら第１スライダー５を押し、第１スライダー５を第１支持軸１から離す方向に移動させる。
なお、上記挟み込み防止部材８は、第１作動体３とカム面９，９との間に原稿や指などが挟み込まれるのを防止するためのものである。
【００２８】
また、支持部材ａとケースｂとの角度が設定角度以下の範囲、例えばこの実施形態では約６０度以下の範囲にあるとき、第１作動体３がカム面９，９に接触し、約６０度以上９０度の範囲では、第１作動体３はカム面９，９から離なれた状態を保つ。
そして、ケースｂが支持部材ａに対して９０度の位置を保っているときには、ケースｂの後端が支持部材ａの背側起立片ａ３に当たって、９０度以上回動しないようにしている。
【００２９】
なお、上記のようにケースｂが支持部材ａに対して９０度の位置まで開くのは、主に修理時などである。つまり、修理する者が、ケースｂの下に頭を入れて作業しなければならないときに、上記のようにケースｂが支持部材ａに対して９０度の位置まで開くことになる。
したがって、この実施形態において通常の使用時には、上記約６０度の範囲内ということになる。そして、以下の実施形態においてすべて同じである。
【００３０】
さらに、第１スライダー５がコイルスプリング７に抗して移動したときコイルスプリング７を撓ませるが、そのときのコイルスプリング７のばね力が、押さえ板Ｙを押し上げる力、すなわち押さえ板Ｙを開く方向のトルクとして作用する。したがって、押さえ板Ｙが閉まった状態からそれを開けるときには、コイルスプリング７のばね力が押さえ板Ｙを開ける力に対してアシスト力となる。
反対に、開けた状態の押さえ板Ｙを閉めるときには、コイルスプリング７のばね力が、押さえ板Ｙの急激な落下を防止するための減衰力として作用する。
【００３１】
なお、リフト部材ｃがケースｂとは反対方向に回動したときには、第２作動体４が第２支持軸２を中心に回動して、コイルスプリング７のばね力に抗して第２スライダー６を移動する。したがって、ケースｂ及びリフト部材ｃのそれぞれを回動させれば、第１，２スライダー５，６の対向間隔が小さいくなって、コイルスプリング７の撓み量を大きくする。
【００３２】
上記のようにした第１スライダー５には、第２スライダー６と対向する側にカバー部１０を突出させているが、このカバー部１０は、ケースｂを、図１の状態から支持部材ａの平板部ａ１に対してほぼ平行になる位置まで回動させた状態にあるとき、その平板部ａ１と対向する側に形成している。
また、上記カバー部１０は、押さえ板Ｙを読み取り装置Ｘに対して閉じたときに読み取り装置Ｘと対向するコイルスプリング７の周面のすべてを覆う幅を有するとともに、その断面形状を湾曲させている。
【００３３】
一方、第２スライダー６であって、カバー部１０に対向する側には、この発明の進入空間である進入穴１１を形成しているが、この進入穴１１は、第２スライダー６を貫通するとともに、その断面形状をカバー部１０の断面形状に合わせて湾曲させている。
そして、第１スイダー５が第１支持軸１に圧接し、第２スライダー６が第２作動体４に圧接して、第１，２スライダー５，６が最大の間隔を保持している状態において、カバー部１０の先端部が、図１に示すように進入穴１１内に位置する構成にしている。つまり、上記カバー部１０の先端は進入穴１１内に常時位置している。
【００３４】
今、図１の状態からケースｂが、支持部材ａに対して閉じる方向に回動すると、それにともなって第１作動体３も第１支持軸１を中心に回動するとともに、第１スライダー５をコイルスプリング７に抗して移動する。
このように第１スライダー５が移動すると、先端を進入穴１１内に位置させていたカバー部１０が進入穴１１内にさらに進入する。そして、第１，２スライダー５，６の対向間隔が最小になったときには、カバー部１０の先端が、進入穴１１を貫通して反対側に突出する。
このようにカバー部１０の先端が進入穴１１を貫通して反対側に突出できるので、第１スライダー５の摺動ストロークを十分に確保することができる。
【００３５】
上記のようにした第１実施形態では、カバー部１０の少なくとも一部が進入穴１１内に常時位置し、しかも第１スライダー５の移動過程でカバー部１０の先端が進入穴１１内で相対移動するので、カバー部１０は進入穴１１から抜けることがない。しかも、このカバー部１０は湾曲させているので、原稿などがカバー部１０の曲面に一致しない限り、それがカバー部１０と進入穴１１との間に入ることはない。
【００３６】
なお、上記実施形態では、カバー部１０の断面形状を湾曲させたが、必ずしも湾曲形状である必要はない。要するに、原稿などがカバー部１０の曲面に一致しない限り、それがカバー部１０と進入穴１１との間に入らないようにすればよいので、上記カバー部１０の断面形状は、曲げ線形状であればどのようなものでもよい。例えば、カバー部１０の断面形状として、山形、サインカーブ形、矩形波形などが考えられる。
【００３７】
そして、上記カバー部１０の断面形状を曲げ線形状にしたときには、上記進入穴１１の断面形状も、カバー部１０の断面形状に対応させておけば、原稿などが入り込むことはほとんどなくなる。
また、上記カバー部１０は、少なくともその端面が曲げ線形状になっていれば、断面を曲げ線形状にしなくても原稿などが入り込むのを防止できる。この点は、以下の各実施形態においても同様である。
【００３８】
また、カバー部１０は、押さえ板Ｙを読み取り装置Ｘに対して閉じたときに読み取り装置Ｘと対向するコイルスプリング７の周面のすべてを覆う幅を保っているので、コイルスプリング７が、カバー部１０から露出することがない。したがって、伸縮するコイルスプリング７のすき間に原稿などが挟まってそれを損傷するようなこともない。また、上記原稿などがコイルスプリングやケース内に付着したグリスで汚れたりもしない。
【００３９】
さらに、覆い部５ａ及びカバー部１０で第１作動体３及びコイルスプリング７が覆われるので、第１作動体３やコイルスプリング７が露出しない。もし、これら第１作動体３やコイルスプリング７が露出していると、その露出部分の機械的なイメージが強くなり、全体としてのデザイン性を損なうが、上記のように第１作動体３及びコイルスプリング７が覆い部５ａ及びカバー部１０で覆われるので、デザイン性を損なうことはない。
【００４０】
なお、この発明において、リフト部材ｃは必ずしも必須の構成要素ではない。コピー機の態様によっては、リフト部材ｃが不要な場合もある。
リフト部材ｃが不要なときには第２スライダー６も不要になるが、このときにはコイルスプリング７は、ケースｂに固定的に設けた部材例えばケースｂの壁面と、この壁面に対向する第１スライダー５との間に介在させることになる。
また、進入穴１１は上記のようにケースｂに固定的に設けた上記部材であって、第１スライダー５に対向する箇所に形成されることになる。
したがって、第２スライダー６側に位置する部材が、この発明における、カバー部先端と対向する側における部材に相当し、進入穴１１が上記部材を構成する要素部材に相当する。
【００４１】
図５，６に示した第２実施形態は、第２スライダー６側にカバー部１０を形成し、第１スライダー５に進入穴１１を形成したもので、このカバー部１０及び進入穴１１の形状は第１実施形態と同じであり、第１スライダー５が覆い部５ａを有することも第１実施形態と同じである。
ただし、第２実施形態の進入穴１１は第１スライダー５を貫通させていない。なぜなら、進入穴１１を貫通させてしまうと、第１スライダー５が進入穴１１からカム面９，９側に突出していまい、第１作動体３，３の移動に支障をきたすからである。
【００４２】
このようにした第２実施形態は、第１実施形態と同じ作用のもとで、同じ効果を発揮する。さらに、覆い部５ａ及びカバー部１０で第１作動体３及びコイルスプリング７が覆われ、第１作動体３やコイルスプリング７が露出しないので、デザイン性が損なわれることはない。
【００４３】
なお、この第２実施形態においても、リフト部材ｃが不要なときには、第２スライダー６も不要になるが、このときにはコイルスプリング７は、ケースｂに固定的に設けた部材と、この壁面に対向する第１スライダー５との間に介在させることになる。
また、上記のようにカバー部１０の断面形状を湾曲させているが、必ずしも湾曲形状である必要はない。第１実施形態と同様に、カバー部１０の断面形状は、曲げ線形状であればどのようなものでもよい。
【００４４】
そして、上記カバー部１０の断面形状を曲げ線形状にしたときには、上記進入穴１１の断面形状も、カバー部１０の断面形状に対応させておけば、原稿などが入り込むことはほとんどなくなる。
さらに、第２実施形態においても、第２スライダー６が不要な場合があること第１実施形態と同様であり、このとき第２スライダー６側に位置する部材が、この発明における、カバー部先端と対向する側における部材に相当し、第１スライダー５に形成した進入穴１１が上記部材を構成する要素部材に相当する。
【００４５】
図７，図８に示した第３実施形態は、第１，２スライダー５，６の対向面のそれぞれに、カバー部１０ａ、１０ｂを設けるとともに、これらカバー部１０ａ，１０ｂに対向する側に進入穴１１ａ，１１ｂを形成している。そして、上記両カバー部１０ａ，１０ｂは、常時重なり合う構成にしている。
【００４６】
なお、カバー部１０ａ，１０ｂがコイルスプリング７の周面を覆う幅を有する点、カバー部１０ａ、１０ｂ及び進入穴１１ａ，１１ｂの断面形状を湾曲させている点のそれぞれは、第１実施形態と同じである。
したがって、この第３実施形態においても、第１，２スライダー５，６が図１の状態から互いに接近する方向に相対移動すると、カバー部１０ａ、１０ｂが進入穴１１ａ，１１ｂに進入する。
【００４７】
上記のようにした第３実施形態は、カバー部１０ａ，１０ｂの先端が常時重なり合い、しかも第１スライダー５の移動過程でカバー部１０ａ，１０ｂの先端が進入穴１１ａ，１１ｂに進入するので、コイルスプリング７は常にカバー部１０ａ，１０ｂで覆われることになる。しかも、このカバー部１０ａ，１０ｂはその断面形状を湾曲させているので、原稿がカバー部１０ａ，１０ｂの曲面に一致しない限り、それがカバー部１０ａ，１０ｂと進入穴１１ａ，１１ｂとの間に入ることはない。
【００４８】
また、カバー部１０ａ，１０ｂは、押さえ板Ｙを読み取り装置Ｘに対して閉じたときに読み取り装置Ｘと対向するコイルスプリング７の周面のすべてを覆う幅を有するので、コイルスプリング７がカバー部１０ａ，１０ｂから露出することがない。したがって、伸縮するコイルスプリング７のすき間に原稿などが挟まってそれを損傷するようなこともなくなる。
【００４９】
さらに、覆い部５ａ及びカバー部１０ａ，１０ｂで第１作動体３及びコイルスプリング７が覆われ、第１作動体３やコイルスプリング７が露出しないので、デザイン性が損なわれることはない。
なお、リフト部材ｃは必ずしも必須の構成要素ではない。コピー機の態様によっては、リフト部材ｃが不要な場合もある。
リフト部材ｃが不要なときには、第２スライダー６も不要になるが、このときにはコイルスプリング７は、第１スライダー５とケースｂに固定的に設けた部材との間に介在させることになる。したがって、この場合には、上記カバー部１０ａ，１０ｂは、第１スライダー５と対向する面に形成される。
【００５０】
なお、この第３実施形態においても、第１実施形態と同様に、カバー部１０ａ，１０ｂの断面形状は、曲げ線形状であればどのようなものでもよい。
そして、上記カバー部１０ａ，１０ｂの断面形状を曲げ線形状にしたときには、これらカバー部１０ａ，１０ｂの断面形状を対応させるとともに、上記進入穴１１ａ，１１ｂの断面形状も、カバー部１０ａ，１０ｂの断面形状に対応させておけば、原稿などが入り込むことはほとんどなくなる。
【００５１】
さらに、第３実施形態においても、第２スライダー６が不要な場合があること第１実施形態と同様であり、このとき第１、２スライダー５，６のいずれか一方の側にある部材が、この発明における、カバー部先端と対向する側における部材に相当し、この部材に相当するスライダーに設けたカバー部１１ａあるいは１１ｂのいずれかが上記部材を構成する要素部材に相当することになる。
【００５２】
図９、図１０に示した第４実施形態は、第１スライダー５にカバー部１０を形成し、第２スライダー６に進入空間１２を形成したもので、その他は第１実施形態と同様である。
つまり、上記第２スライダー６に凹部６ｂを形成するとともに、この凹部６ｂに連続する進入空間１２を形成したもので、この進入空間１２は底部１２ａを有するものである。さらに詳しく説明すると、上記進入空間１２は、図１０に示すように、コイルスプリング７の端部を組み込む凹部６ａの下面を開放して形成するとともに、開放された進入空間１２を塞ぐようにして底部１２ａを形成している。
【００５３】
上記のようにした進入空間１２の底部１２ａには、第１スライダー５に形成したカバー部１０の先端部分が図９に示すように常時重なり合う構成にしている。言い換えると、上記したように支持部材ａとケースｂとが、図９に示すように約６０度の角度にある場合にも、カバー部１０の先端部分が上記底部１２ａに重なり合う構成にしている。
しかも、進入空間１２内であって、カバー部１０が進入する進入方向前方に、貫通孔１３を形成して、カバー部１０の先端がこの貫通孔１３から突出できるようにしている。
【００５４】
さらに、上記カバー部１０はその断面形状を湾曲させているが、底部１２ａもカバー部１０の湾曲形状に対応させて湾曲させている。カバー部１０及び底部１２ａのそれぞれを湾曲させたのは、上記各実施形態と同様に、原稿などが入らないようにするためである。したがって、これらカバー部１０及び底部１２ａの断面形状は、湾曲形状に限定されず、上記各実施形態と同様に曲げ線形状になっていればよい。
【００５５】
なお、図中符号１４は、第２スライダー６の凹部６ｂ内に一体的に突出させたスプリングガイドで、このスプリングガイド１４を形成したのはのは次の理由からである。つまり、第２スライダー６の凹部６ｂ内は進入空間１２と連続しているので、この進入空間１２側におけるコイルスプリング７の部分が屈曲しやすくなる。そこで、上記のようにスプリングガイド１４を設けることによって、凹部６ｂにおけるコイルスプリング７が屈曲しないようにしたものである。
【００５６】
また、リフト部材ｃが不要なときには第２スライダー６も不要になるが、このときには上記各実施形態と同様に、コイルスプリング７は、ケースｂに固定的に設けた部材例えば壁面と、この壁面に対向する第１スライダー５との間に介在させることになる。
また、進入空間１２は上記のようにケースｂに固定的に設けた部材であって、第１スライダー５のカバー部１０に対向する箇所に形成されることになる。
したがって、上記各実施形態と同様に、第２スライダー６側に位置する部材が、この発明における、カバー部先端と対向する側における部材に相当し、進入空間１２が上記部材を構成する要素部材に相当することになる。
【００５７】
図１１、図１２に示した第５実施形態は、第１スライダー５に底部１５ａを設けた進入空間１５を形成し、第２スライダー６にカバー部１６を形成している。ただし、上記進入空間１５には、第４実施形態の貫通孔１３に相当する孔を形成していない。
なお、図中符号１７はスプリングガイドで、その機能は第４実施形態のスプリングガイド１４と同じである。
上記以外の構成は第４実施形態と同様なので、その詳細は省略する。
【００５８】
また、この第５実施形態においても、リフト部材ｃが不要なときには第２スライダー６も不要になるが、このときにコイルスプリング７は、ケースｂに固定的に設けた部材と、この部材に対向する第１スライダー５との間に介在させることになる。
また、進入空間１５は上記のように第１スライダー５に形成され、カバー部１６はケースｂ側に固定的に設けた部材などに形成されることになる。したがって、第１スライダー５側に位置する部材が、この発明における、カバー部先端と対向する側における部材に相当し、進入空間１５の底部１５ａが上記部材を構成する要素部材に相当することになる。
【００５９】
なお、上記第４及び第５実施形態における進入空間１２，１５には底部１２ａ，１５ａを設けたが、この底部１２ａ，１５ａを省略してもかまわない。この場合に、進入空間１２ａ，１５ａに進入したカバー部１０，１６は、進入空間１２，１５の両側における側壁に囲われるので、カバー部１０，１６と進入空間１２，１５との間に原稿などが挟まれたりしない。
【００６０】
図１３，図１４に示した第６実施形態は、第１スライダー５にカバー部１８ａを形成するとともに、第２スライダー６であって、上記カバー部１８ａに対向する部材に、この発明の進入空間である進入穴１９を貫通させている。
上記第２スライダー６には、上記カバー部１８ａ側にわずかに突出させたカバー部１８ｂを形成し、これらカバー部１８ａ，１８ｂの先端が、図１３に示すように常時重なり合う構成にしている。言い換えると、上記したように支持部材ａとケースｂとが、図１３に示すように約６０度の角度にある場合にも、カバー部１８ａ，１８ｂの先端部分がたがいに重なり合う構成にしている。
【００６１】
そして、第１スライダー５がコイルスプリング７を撓ませながら移動すると、一方のカバー部１８ａがその移動過程で進入穴１９に進入する。したがって、この第６実施形態においても、コイルスプリング７がカバー部１８ａ，１８ｂによって常時覆われることになる。
【産業上の利用可能性】
【００６２】
コピー機の読み取り装置と蓋とを連結するヒンジ機構として最適である。
【符号の説明】
【００６３】
Ｘ                  読み取り装置
Ｙ                  押さえ板
ａ                  支持部材
ｂ                  ケース
ｂ２                両側片
１                  第１支持軸
３                  第１作動体
５                  第１スライダー
６                  第２スライダー
７                  コイルスプリング
１０，１０ａ，１０ｂ  カバー部
１１，１１ａ，１１ｂ  進入穴
１２，１５            進入空間
１９                  進入穴
【図１】
2012256029.tif 000003
【図２】
2012256029.tif 000004
【図３】
2012256029.tif 000005
【図４】
2012256029.tif 000006
【図５】
2012256029.tif 000007
【図６】
2012256029.tif 000008
【図７】
2012256029.tif 000009
【図８】
2012256029.tif 000010
【図９】
2012256029.tif 000011
【図１０】
2012256029.tif 000012
【図１１】
2012256029.tif 000013
【図１２】
2012256029.tif 000014
【図１３】
2012256029.tif 000015
【図１４】
2012256029.tif 000016